(57)【要約】【課題】光サブアセンブリ（ＯＳＡ）を光レセプタクル単体で位置決めして保持することが可能な光モジュールを提供する。【解決手段】光モジュールはＯＳＡ（２つのＯＳＡ１ａ，１ｂで例示）と光レセプタクル２とを備える。ＯＳＡ１ａ，１ｂは、同軸型の外形をもち、そのスリーブ１０の外周に、第１フランジ１１及び第２フランジ１３、並びに、第１フランジ１１及び第２フランジ１３の間に位置決め部１２が設けられている。光レセプタクル２は、ＯＳＡ１ａ，１ｂをそれぞれ保持するＵ字型の保持部２１ａ，２１ｂを有する。保持部２１ａ，２１ｂは、いずれも、その嵌め込み口の片側部分２２ａ，２２ｂがバネ形状となっており、その片側部分２２ａ，２２ｂを撓ませながら、位置決め部１２ａ，１２ｂを径方向に嵌め込んで嵌合し、嵌め込まれた後には片側部分２２ａ，２２ｂが復元し位置決め部１２ａ，１２ｂが保持された状態となる。【選択図】図４
2008175881.tif 000002
【特許請求の範囲】
【請求項１】
光電変換素子を搭載した光サブアセンブリと、該光サブアセンブリを搭載し外部光コネクタを受納するための光レセプタクルとを備えた光モジュールであって、
前記光サブアセンブリは、第１フランジ、第２フランジ、及び前記光レセプタクルに対して該光サブアセンブリの相対的位置を決定する位置決め部を該第１、第２フランジの間に有し、
前記光レセプタクルは、弾性部と固定部との間に前記光サブアセンブリの位置決め部を挟み込んで保持することを特徴とする光モジュール。
【請求項２】
さらに固定部品を備え、該固定部品は、前記位置決め部が保持された前記光モジュールを前記弾性部を介して前記固定部に押し付けることを特徴とする請求項１に記載の光モジュール。
【請求項３】
前記光電変換素子に電気的に接続するための回路基板をさらに備え、前記固定部品は、前記回路基板を保持する保持部を有することを特徴とする請求項２に記載の光モジュール。
【発明の詳細な説明】
【技術分野】
【０００１】
本発明は、光コネクタを受納するための光レセプタクルと光電変換素子を搭載した光サブアセンブリとを備え、プラガブル光トランシーバ等に組み込まれる光モジュールに関する。
【背景技術】
【０００２】
プラガブル光トランシーバ（以下、光トランシーバという）は、光電変換素子を搭載する光サブアセンブリ（Optical Sub-Assembly：ＯＳＡ）、光コネクタを受納するための光レセプタクル、ＯＳＡに対しフレキシブル基板等により電気的に結合し電気信号の処理を行う回路基板、シャーシ、並びにカバーで構成される。
【０００３】
ＯＳＡとしては、発光素子であるレーザダイオード（ＬＤ：Laser Diode）及びこのＬＤの出力光強度を検知する受光素子であるフォトダイオード（ＰＤ：Photo Diode）等が組み込まれたＴＯＳＡ（Transmitter OSA）、ＰＤ及びこのＰＤにより変換された電気信号を増幅するプリアンプ等が組み込まれたＲＯＳＡ（Receiver OSA）などがある。
【０００４】
光トランシーバにおけるＯＳＡは、光レセプタクルに挿入された光コネクタに付随する光ファイバとの間で光信号の送受を行い、この光信号と電気信号との間を変換する。そして、光ファイバとＯＳＡ内に搭載された光デバイスが光結合するためには、ＯＳＡの先端のスリーブに、光コネクタ内で光ファイバの先端に付属するフェルールが正確に係合する必要がある。
【０００５】
従って、光レセプタクル及びＯＳＡを備える光モジュールにおいては、ＯＳＡが精度良く配置されている必要があり、光レセプタクルにはＯＳＡの位置決め及び保持構造を有することが望ましい。ここで、光レセプタクルは、接続する光コネクタの規格によりその各部の物理的寸法が厳密に規定されているため、ＯＳＡ、特にその先端のスリーブは光レセプタクルの幾何学的寸法に対して厳密にその位置決めがなされていなくてはならない。
【０００６】
しかしながら、現状では、ＯＳＡのスリーブ外形形状の制約から、光レセプタクル単体でＯＳＡの位置決めができない構造となっている。従って、ＯＳＡ、特にその先端のスリーブは、光トランシーバのシャーシ又は筺体に対して、その位置を厳密に一意に決定しておく必要がある。これは、光トランシーバに具備される光レセプタクルが、光トランシーバのシャーシ又は筺体に対して一体に形成されることから、実現可能となる。
【０００７】
図１及び図９を参照して、光レセプタクル単体でＯＳＡの位置決めができない理由について具体的に説明する。図１に示すようにＯＳＡ１は、そのスリーブ１０の外周に第１フランジ１１及び第２フランジ１３を備えている。従って、図９（Ａ）で斜視図を、図９（Ｂ）で断面図をそれぞれ示すように、光レセプタクル９は、ＬＣ型コネクタ用であり、ＯＳＡ１ａ，１ｂそれぞれに対するＵ字型の保持部９１ａ，９１ｂをもち、矢視方向（すなわち径方向）にＯＳＡ１ａ，１ｂを挿入するようになっている。このように光レセプタクル９側でのスリーブ保持構造はＵ字型を採用せざるを得ない。尚、ＯＳＡ１ａ，１ｂは、図１のＯＳＡ１に相当し、例えばそれぞれＴＯＳＡ，ＲＯＳＡが該当する。
【０００８】
このとき、Ｕ字の開口方向はその位置がフリーとなっているので、ＯＳＡ１ａ，１ｂをセットした後であっても径方向に挿入し嵌合しただけであり、ＯＳＡ１ａ，１ｂは上下方向（径方向）に容易に抜けてしまう。従って、嵌合後に図９（Ｃ）で示すような固定用別部品９２ａ，９２ｂを取り付ける必要がある。このように、光レセプタクル９単体ではＯＳＡ１ａ，１ｂを保持・固定することが難しく、その結果、位置決め・保持には固定用別部品９２ａ，９２ｂを使って実現するしかない。その際、別部品を用いることでコストが嵩むだけでなく、位置精度を保つためにその別部品には厳しい寸法精度が要求され、ＯＳＡの光トランシーバ内への組立ても難しくなる。
【０００９】
例えば特許文献１に記載のＯＳＡが一段のフランジをもつ構造に限っては、次のようなスリーブ保持構造を採用することもできる。すなわち、光レセプタクルにスリーブ径よりも僅かに大きい孔を設け、当該孔にスリーブを押し込め、且つ、一段フランジをストッパとすることで、スリーブの先端位置を光レセプタクル内で一義的に、安定的に決定することができるが、この場合においても光レセプタクル単体では、ＯＳＡのスリーブが光レセプタクルに径方向で固定されているだけで、その挿入方向（長手方向）には位置決め・固定ができない構造となっており、固定には別部品（ここではホルダ）が必要となる。しかしながら、図１のごとき二段フランジ構造では、スリーブの挿入ができないため孔形状を採ることは不可能で、上方又は下方からの取り付けとなり、結局、図９に示したように、光レセプタクル側でのスリーブ保持構造はＵ字型となって別部品が必要となる。
【００１０】
このように、ＯＳＡ１を径方向に挿入する保持構造だけでなく、同軸方向に挿入する保持構造であっても、ＯＳＡ１の外形形状（二段フランジ）の制約により光レセプタクル９単体では難しく、固定用に別部品が必要となり、組立て性・コスト等が問題となる。更に、光レセプタクルは、光コネクタの種類の違い（例えばＭＵ型やＬＣ型等）による光コネクタ受納部の制約もあり、喩え上述のごときスリーブ保持構造であったとしてもその統一が難しくなる。
【００１１】
図１０を参照して具体的に説明すると、ＭＵコネクタを受納するＭＵ型レセプタクル１０には、光コネクタとラッチする目的でＭＵ型レセプタクル１０内にラッチ片が備えられる。ＯＳＡ保持部１０１ｂに連通する光コネクタ受納部で例示すると、このラッチ片１０２ｂ，１０３ｂは光コネクタに対し上下方向に一対設けられる。尚、図１０では、２本のＭＵコネクタが挿脱可能なように２つのＯＳＡ保持部１０１ａ，１０１ｂをもち、ＯＳＡ保持部１０１ａに連通する光コネクタ受納部にもＯＳＡ保持部１０１ｂと同様に一対のラッチ片（図１０ではラッチ片１０２ａのみ可視）と同様の一対のラッチ片が設けられている。
【００１２】
従って、スリーブ保持構造として採用されるＵ字形状の開口は、ＭＵ，ＬＣの両規格で一致させることはできず、ＭＵ，ＬＣ規格に合致する光レセプタクルに対してそれぞれ別のＵ字形状を形成する必要があり、また、このＵ字の形状に合わせて補助部品の押さえ部材も異種のものを用意しておかなければならない。
【００１３】
しかし、ＭＵ型やＬＣ型などの光レセプタクルでは、図１に示すようにＯＳＡ１は、その二段フランジ１１，１３に挟まれた箇所（位置決め部１２）で、光レセプタクル（或いはトランシーバ筺体）に対して固定されるだけである。従って、光レセプタクルの規格（ＬＣ、ＭＵ等）が変更されても、この変更の影響を受けるのは、ＯＳＡ先端のスリーブのみであって、本来ならば固定構造の二段フランジ箇所は光レセプタクルの規格に独立し、規格に依存せず共通化できるはずである。
【特許文献１】特開２００６−２５９７３１号公報
【発明の開示】
【発明が解決しようとする課題】
【００１４】
上述のごとく、従来の光レセプタクルでは、ＯＳＡを径方向や同軸方向に挿入して保持するに際し、ＯＳＡの外形形状（二段フランジ）の制約により光レセプタクル単体では難しく、ＯＳＡの位置決め穴形状を分割する必要がある（すなわち固定用に別部品が必要となる）ため、組立て性・コスト等が問題となる。また、従来の光レセプタクルでは、ＭＵ型等の光コネクタの成型上の制約、換言すると光コネクタ受納部の制約から、スリーブ保持構造（ＯＳＡ保持構造）の統一も難しくなる。
【００１５】
本発明は、上述のごとき実情に鑑みてなされたものであり、光サブアセンブリ（ＯＳＡ）を光レセプタクル単体で位置決めして保持することが可能な光モジュールを提供することを目的とする。
【課題を解決するための手段】
【００１６】
本発明による光モジュールは、光電変換素子を搭載したＯＳＡと、このＯＳＡを搭載し外部の光コネクタを受納するための光レセプタクルとを備え、ＯＳＡは、第１フランジ、第２フランジ、及び光レセプタクルに対してＯＳＡの相対的位置を決定する位置決め部を第１、第２フランジの間に有しており、一方、光レセプタクルは、その弾性部と固定部との間にＯＳＡの位置決め部を挟み込んで保持することを特徴としたものである。
【発明の効果】
【００１７】
本発明に係る光モジュールによれば、ＯＳＡを光レセプタクル単体で位置決めして保持することが可能となる。この結果、ＯＳＡの位置精度を向上させることができ、また異なる光コネクタに対して形状の共通化を図ることができる。
【発明を実施するための最良の形態】
【００１８】
図１は、本発明に適用可能なＯＳＡの構成例を示す図である。図１に示すＯＳＡ１は、光電変換素子を搭載し、同軸型の外形をもち、そのスリーブ１０の外周に、第１フランジ１１及び第２フランジ１３、並びに、第１フランジ１１及び第２フランジ１３の間に位置決め部１２が設けられている。すなわち、ＯＳＡ１は、後述の光レセプタクルに対して位置決めを行う位置決め部１２と、その前後にそれぞれ設けられた二段フランジ１１，１３とを有する。
【００１９】
図２は、本発明に係る光モジュールの一構成例を示す斜視図で、光モジュールの組立方法の概要を説明するための図でもある。また、図３は、図２の光モジュールにおける光レセプタクルを示す図で、図３（Ａ）は一部断面斜視図を、図３（Ｂ）は正面図をそれぞれ示している。更に、図４は、図２の光モジュールの組立方法を説明するための斜視図で、図４（Ａ）は組立中の光モジュールを、図４（Ｂ）は組立完成後の光モジュールをそれぞれ示している。
【００２０】
本発明に係る光モジュールは、少なくともＯＳＡと、光コネクタを受納するための光レセプタクル（ＯＳＡ保持機能付き光レセプタクル）とを備える。図２〜図４では、ＴＯＳＡ１ａ、ＲＯＳＡ１ｂ、及びそれらの双方を保持するＬＣ型コネクタ用の光レセプタクル２を備えた光モジュールについて説明する。光レセプタクル２は、ＴＯＳＡ１ａを保持する保持部２１ａと、ＲＯＳＡ１ｂを保持する保持部２１ｂとを有する。
【００２１】
保持部２１ａは、ＴＯＳＡ１ａと当接する部分の断面形状（ＴＯＳＡ１ａの挿入方向の断面形状）が、馬蹄形のごとく円弧が一部分欠けた円形となっており、当該一部分（開口部分）がＴＯＳＡ１ａにおける位置決め部１２ａの嵌め込み口となる。
【００２２】
そして、保持部２１ａは、その嵌め込み口の少なくとも片側部分（一方の側辺部分）２２ａが弾性力を有している。図２〜図４で例示した弾性部２２ａは、光レセプタクル２本体側から爪片を伸ばして形成することで、弾性力を持たせている。そして、その爪片（弾性片）も保持部２１ａの一部であるので、弾性片を光軸方向から見た縁の形状も円弧となっている。また、保持部２１ａにおけるＴＯＳＡ１ａと当接する部分の断面形状が、弾性部２２ａ以外に２つ以上の円弧に分かれて形成されていてもよい。
【００２３】
保持部２１ａでは、位置決め部１２ａを径方向（すなわち同軸方向（長手方向）の垂直方向）に嵌め込むに際し、図４に示したように弾性部２２ａを嵌め込み口の外側に向かって（図４（Ａ）の矢視方向）撓ませるように変形させながら嵌合する。従って、弾性部２２ａが撓んでいないときには、保持部２１ａの開口部分は、ＴＯＳＡ１ａの位置決め部１２ａの外径より小さい。
【００２４】
また、保持部２１ｂの断面形状も保持部２１ａのそれと同様であり、ＲＯＳＡ１ｂの位置決め部１２ｂに合致する径が採用されている点で異なるだけである。従って、保持部２１ｂの嵌め込み口の片側部分２２ｂもバネ形状となっている。尚、図２，図４等で例示するＲＯＳＡ１ｂは、ＴＯＳＡ１ａと形状が異なるが、二段フランジ１１ｂ，１３ｂによって挟まれる位置決め部１２ｂが保持部２１ｂに嵌合する点ではＴＯＳＡ１ａで例示したものと同様と言える。
【００２５】
また、保持部２１ａ，２１ｂに対応させてそれぞれスリット２３ａ，２３ｂを設けておくとよい。そして、嵌め込む際には、第１フランジ１１ａ，１１ｂを、それぞれこのスリット２３ａ，２３ｂに挿入する。一方、第２フランジ１３ａ，１３ｂは、その縁が光レセプタクル２の後面に当接するように挿入される。このように、位置決め部１２ａ，１２ｂは、スリット２３ａ，２３ｂと光レセプタクル２の後面とで形成される部分によって、光レセプタクル２に対して位置決めされる。
【００２６】
また、光レセプタクル２の材料としては樹脂を採用すればよい。すなわち、保持部２１ａ，２１ｂは、弾性部２２ａ，２２ｂが他の部分と分割されるように樹脂成形すればよい。
【００２７】
保持部２１ａ，２１ｂは、いずれも、位置決め部１２ａ，１２ｂが嵌め込まれ装着された後には、弾性部２２ａ，２２ｂが復元し（撓みが元に戻り）、位置決め部１２ａ，１２ｂが保持された状態となる（図４（Ｂ）参照）。このような状態のＴＯＳＡ１ａ，ＲＯＳＡ１ｂは、上述のごとく位置決め部１２ａ，１２ｂ（第１フランジ１１ａ，１１ｂの縁及び第２フランジ１３ａ，１３ｂの縁）によって光レセプタクル２に対して前後方向の位置決めがなされており、且つ位置決め部１２ａ，１２ｂの外形によって光レセプタクル２に対して径方向（上下方向・左右方向）の位置決めがなされている。
【００２８】
このように、ＴＯＳＡ１ａ，ＲＯＳＡ１ｂを挿入する際、弾性部２２ａ，２２ｂがそれぞれ、外方に広がり開口断面の間口が広がるように変形し、ＴＯＳＡ１ａ，ＲＯＳＡ１ｂが所定の位置に保持される。また、一度所定の位置の保持された後には、弾性部２２ａ，２２ｂの弾性力によりＴＯＳＡ１ａ，ＲＯＳＡ１ｂはそれぞれの弾性部２２ａ，２２ｂの対向する壁（固定部）に対して押し付けられる。
【００２９】
また、嵌め込み口の片側部分だけでなく、両側部分をバネ形状としてもよい。図３の例では、保持部２１ａ，２１ｂの間の境界部分もバネ形状にすればよく、その場合、ＴＯＳＡ１ａ又はＲＯＳＡ１ｂの一方を先に両側部分撓ませながら嵌め込んで保持し、他方は片側部分のみを撓ませながら嵌め込んで保持する。先に嵌め込むＯＳＡとしては、その形状や大きさなどから嵌め込みが難しい方を採用するとよい。また、図２等ではＯＳＡが２つ設けられているが、１つのみで形成される光モジュールの場合には両側部分を撓ませながら嵌め込んで保持することが、保持力の点で特に有効となる。
【００３０】
本発明では、ＯＳＡ１の取り付け部にバネ形状を採用し、ＯＳＡ１を取り付ける際に片側（又は両側）の部位を変形させながらＯＳＡ１が挿入可能で、挿入後は単体でＯＳＡ１を保持可能な構造を備えている。このような構造は、バネ部を光レセプタクル単体で単純に保持するだけの容易な設計で製造することができる。従来、ＯＳＡ１の位置決め形状の制約により２つ以上の部品でＯＳＡ１の位置精度を決定していた組立構造が、本発明では、光レセプタクル２単体でＯＳＡ１の位置精度が決まるため、ＯＳＡ１の位置精度が向上する。更に、この構成では、スリーブ１０の挿入の際に無理に押し込む必要もなく、セット後の保持力も保つことができる。
【００３１】
図５は、本発明の光モジュールに適用可能なＭＵ型レセプタクルの構成例を示す斜視図である。図５で例示するＭＵ型レセプタクル３であっても、上述したものと同様のバネ形状の弾性部３２ａ，３２ｂ（或いは両側の弾性部）を持たせたＯＳＡ保持構造を採用することができる。
【００３２】
保持部３１ａ，３１ｂは、図２の保持部２１ａ，２１ｂにそれぞれ相当する部位である。また、スリット３３ａ，３３ｂは、図２のスリット２３ａ，２３ｂにそれぞれ相当する部位であり、ＯＳＡのフランジを受けるために馬蹄状開口に連続して形成されている。また、図５で例示した保持部３１ａ（３１ｂ）では、ＴＯＳＡ１ａ（ＲＯＳＡ１ｂ）と当接する部分の断面形状がバネ形状の弾性部３２ａ（３２ｂ）とそれに対向する固定部の２つの円弧で形成されたものである。
【００３３】
ＭＵ規格では、光コネクタを係合するためのラッチ片３４ａ，３４ｂが、光レセプタクル３の上下方向に設けられる。従って、従来のＵ字状断面を有する開口では、ＯＳＡスリーブを安定に保持するために押さえ部品が必須となるが、図５に示すように弾性部３２ａ，３２ｂを用いることで、開口の断面形状を円に近づけて（開口の間口を狭くして）ＯＳＡスリーブの保持力を高めたとしても、開口の間口が弾性部３２ａ，３２ｂにより充分広がるので、ＴＯＳＡ１ａ，ＲＯＳＡ１ｂをセットできなくなることはない。
【００３４】
このようにスリーブ保持構造（ＯＳＡ保持構造）としては、図５で例示するような異なる光コネクタ用光モジュールであっても、図２〜図４で例示した光コネクタ用光モジュールと同じ統一した筐体構造が採用できるため、部品及び組立方法の共通化が図れ、製造性が向上し製造の低コスト化が見込める。
【００３５】
以上、図１〜図５で説明したように本発明では容易な設計で光レセプタクル単体でＯＳＡの保持を可能としているが、精度良く固定するためには、バネ部の変位量と固定強度と破壊強度が最適になるようにするなどバネ部の設計が複雑になる。従って、本発明に係る光モジュールには、ＯＳＡを取り付け後に変形できないように次の固定部品を備えることが好ましい。
【００３６】
この固定部品は、位置決め部１２が保持された状態のまま、図４（Ｂ）の光レセプタクル２における弾性部２２ａ，２２ｂを外側から固定する部品である。尚、図５の光レセプタクル３に対する固定部品も同様の構造を採用できる。この固定部品により、ＯＳＡ１を保持した後にバネ形状が変形しないように押さえることができる。
【００３７】
この固定部品は、従来技術ではＯＳＡの位置決めと固定を同時に実現していたため、寸法精度の高い形状が要求されていたが、本特許の構造を採用することでバネ構造を外方から抑え付けるだけの単純な形状にすることが可能となり、構造的には非常に簡便で部品自体の寸法精度を厳しくしなくてもよく、設計及び組立ても容易となり、製造性が向上する。
【００３８】
図６は、このような固定部品の構成例を示す斜視図である。図６で例示する固定部品４は、図４（Ｂ）の弾性部２２ａ，２２ｂ（図５の弾性部３２ａ，３２ｂ）を押さえる押さえ片４１を備え、押さえ片４１はより押さえやすいようにするための突起４２を備えている。図６の固定部品４は、後述する光トランシーバのベースとしても機能するような形状を持っている。このように、この固定部品は構造的に複雑でないため、別の部品と共用させることが可能となる。
【００３９】
本発明に係る光モジュールは、上述のごときＯＳＡ１、光レセプタクル２（３）、及び固定部品４を備える他に、光電変換素子に電気的に接続するためのＩＣ等を含む回路基板を備えるようにしてもよい。このような構成の光モジュールは、光トランシーバとなる。図２、図７、及び図８は、本発明に係る光モジュールを組み込んだ光トランシーバの製造工程を段階的に示す図で、ここでは、図４（Ｂ）のごときＬＣ型の光レセプタクル２及びＴＯＳＡ１ａ，ＲＯＳＡ１ｂを具備した光トランシーバに対する組立の様子を示している。
【００４０】
まず、図２に示したように、ＯＳＡ（ＴＯＳＡ１ａ，ＲＯＳＡ１ｂ）を光レセプタクル２の開口にそのスリーブ（スリーブのフランジ）を挿入することによりセットする。光レセプタクル２の弾性部２２ａ，２２ｂが横に押し広げられ、馬蹄形の開口の間口が広がるので挿入は問題なくスムーズに行われる。このとき、ＴＯＳＡ１ａ，ＲＯＳＡ１ｂのリードピンにはＦＰＣ基板等の接続部品は接続されていない。また、これらリードピンは回路基板５にも接続されていないフリーの状態である。
【００４１】
次いで、図７に示すように固定部品４を光レセプタクル２の後方側から挿入する。そして、固定部品４の両側壁の先端部に形成されている押さえ片４１で、光レセプタクル２の弾性部２２ａ，２２ｂを挟み込み、弾性部２２ａ，２２ｂが側方に広がることを抑制する。
【００４２】
また、固定部品４上には回路基板５（同基板上には回路素子が既にソルダリングされている）が搭載されている。回路基板５の固定部品４上への搭載は、固定部品４の側壁に突起等の構造を設けておき、当該構造等に回路基板５を載せることで行われる。このように、固定部品４はこの回路基板５を保持する保持部を有するものとし、シャーシと共用で構成するとよい。本発明では、固定部品４の形状が簡単になった結果、回路基板５保持用の部品に統合することが可能となり、安価に、しかも簡単に光モジュールを製造することができる。尚、図６及び図７で例示した固定部品４は一枚の金属板を切断、折り曲げ加工のみによって形成したものであり、溶接、接着等のその他の工程を加えていない。これは、部品コスト、製造コストの低減化のためである。尚、固定部品４を所定箇所にセットした後、ＴＯＳＡ１ａ，ＲＯＳＡ１ｂのリードピンを回路基板５のパッドにソルダリング（半田接続）する。
【００４３】
次いで、図８（Ａ）に示すように、光トランシーバ後方から金属製カバー８を上述の構造体に被せ、回路基板５、ＴＯＳＡ１ａ，ＲＯＳＡ１ｂ、及び固定部品（ベース）４を保護する。金属製カバー８は、断面が矩形の金属製籠であり、固定部品４と同様に一枚の金属板を切断、折り曲げ加工のみにより形成されている。図８では隠れているが、繋ぎ目は、両端が絡み合うような構造を採用することで、強度を増している。また、金属製カバー８の側面は図７で取り付けた固定部品４の側方を押さえ付けている。これにより、光レセプタクル２の弾性部２２ａ，２２ｂを二重に保持し、弾性部２２ａ，２２ｂが横方向に広がることを防止している。
【００４４】
また、固定部品４及び金属製カバー８で、それぞれ弾性部２２ａ，２２ｂを押さえ付ける構造については、機械的精度を要求されない。単に、弾性部２２ａ，２２ｂを外方から押さえ付けるだけであるので、従来の追加部品のように、ＯＳＡフランジと接触する箇所の形状の加工精度、筺体（固定部品、カバー）に対する取り付けのための加工精度も要求されない。上述のように、単に金属板を切断、折り曲げする加工精度で本発明の目的は達せられる。
【００４５】
図８（Ａ）に示すように、金属製カバー８を取り付けると同時に、光レセプタクル２底面（図８（Ａ）での可視面が底面に相当する）に、アクチュエータ６とこのアクチュエータ６を動作させるためのベール７を取り付ける。アクチュエータ６の後方端には系合突起６１が形成されており、この突起６１が金属カバー８に設けられた開口８１から突き出るように、金属カバー８が取り付けられる。そして、ホスト基板上に設けられこの光トランシーバが挿入されるケージの底面に形成されている係止口がこの突起６１と係合することで、このトランシーバがケージに対して固定される。それと同時に、図８（Ｂ）のように回路基板５の後端に形成されている電気プラグと、ケージ内のコネクタが係合して、トランシーバとホストシステムとの通信が確立する。
【００４６】
以上の工程を経て光トランシーバが完成する。図２、図７、及び図８を参照して説明したように、この光トランシーバは、全て部品（固定部品、カバー、アクチュエータ、ベール等）が嵌め込みだけで組立られ、螺子等の固定用の部品を用いていない。従って、組立工程が簡略化され、製造単価の低下を図ることができる。
【００４７】
尚、上記説明ではＯＳＡリードピンが直接回路基板上のパッドに半田接続される例を説明したが、リードピンを、フレキシブル（ＦＰＣ）基板を介して接続する形態も採用することができる。この場合、ＯＳＡスリーブを光レセプタクルの開口に挿入する前にＯＳＡと回路基板とをＦＰＣ基板により接続し、その後ＯＳＡスリーブを光レセプタクルの所定箇所に接続する。ＦＰＣ基板のソルダリングを部品組立後に行うのが困難な故である。
【００４８】
この形態では、ＯＳＡがＦＰＣ基板を介して回路基板と接続されているため、両ＯＳＡの間隔を広げて光レセプタクルにセットすることは無理がある。ＦＰＣ基板は柔軟性を有することが特徴であるが、それは基板面に垂直な方向についてであり、基板面に平行な方向では、その柔軟性は劣る。
【００４９】
従って、本発明では、光レセプタクルの弾性構造を光レセプタクルの側方に設け、ＯＳＡは光レセプタクルの上方からセットする形態を説明したが、ＦＰＣ基板を用いた場合にあっては、以上のように弾性部の形成箇所は光レセプタクルの側方に限定される。弾性部を横方向に押し広げつつＦＰＣ基板付きのＯＳＡを光レセプタクルの上方からセットすることで、ＦＰＣ基板、及びＯＳＡ、回路基板との接続箇所に機械的な歪みを誘起することなく、ＯＳＡを光レセプタクルにセットすることができる。
【００５０】
一方、ＦＰＣ基板を用いないＯＳＡと回路基板との接続の場合、すなわち、図２、図７、及び図８の形態の場合にあっては、弾性部の形成箇所は光レセプタクルの側方に限定されない。ＯＳＡを単独で光レセプタクルにセットするために、例えば、弾性部を光レセプタクルの上方に形成しておき、この弾性部を上方に押し広げつつＯＳＡを光レセプタクルの側方からセットすることも可能である。
【図面の簡単な説明】
【００５１】
【図１】本発明に適用可能なＯＳＡの構成例を示す図である。
【図２】本発明に係る光モジュールの一構成例を示す斜視図で、光モジュールの組立方法の概要を説明するための図でもある。
【図３】図２の光モジュールにおける光レセプタクルを示す図である。
【図４】図２の光モジュールの組立方法を説明するための斜視図である。
【図５】本発明の光モジュールに適用可能なＭＵ型レセプタクルの構成例を示す斜視図である。
【図６】本発明の光モジュールに適用可能な固定部品の構成例を示す斜視図である。
【図７】本発明に係る光モジュールを組み込んだ光トランシーバの製造工程を示す図である。
【図８】図７に続く製造工程を示す図である。
【図９】従来の光レセプタクルのＯＳＡ保持構造を説明するための図である。
【図１０】従来のＭＵ型レセプタクルを示す一部断面斜視図である。
【符号の説明】
【００５２】
１…ＯＳＡ、１ａ…ＴＯＳＡ、１ｂ…ＲＯＳＡ、２…光レセプタクル、３…ＭＵ型レセプタクル、４…固定部品、５…回路基板、６…アクチュエータ、７…ベール、８…金属製カバー、１１，１１ａ，１１ｂ…第１フランジ、１２，１２ａ，１２ｂ…位置決め部、１３，１３ａ，１３ｂ…第２フランジ、２１ａ，２１ｂ，３１ａ，３１ｂ…保持部、２２ａ，２２ｂ，３２ａ，３２ｂ…保持部の片側部分（弾性部）、２３ａ，２３ｂ，３３ａ，３３ｂ…スリット、３４ａ，３４ｂ…ラッチ片、６１…系合突起、８１…開口。
【図１】
2008175881.tif 000003
【図２】
2008175881.tif 000004
【図３】
2008175881.tif 000005
【図４】
2008175881.tif 000006
【図５】
2008175881.tif 000007
【図６】
2008175881.tif 000008
【図７】
2008175881.tif 000009
【図８】
2008175881.tif 000010
【図９】
2008175881.tif 000011
【図１０】
2008175881.tif 000012